(57)【要約】      （修正有）【課題】  鉄筋コンクリート建築物の避雷針設備において、建物の各階の柱内部に配設されている主筋である鉄筋を用いてアースするため、受雷部の電線を鉄筋に接続し、鉄筋を地盤にアースした電線と接続する接続構造を、従来は溶接接続を行っていたが、柱主筋の強度低下の問題があった。簡単な作業で、かつ、確実に、鉄筋をアースする。【解決手段】  鉄筋１を抱え込み、圧を加えることで鉄筋１と密着する鉄筋圧着部１１を有する圧着端子１０により、鉄筋１と電線３とを電気的に接続する。【選択図】図１
2006344402.tif 000002
【特許請求の範囲】
【請求項１】
圧着端子により鉄筋と電線とを電気的に接続し、前記鉄筋及び電線の何れか一方に流れる電流を他方に逃すための接続構造であって、
前記圧着端子は、
前記鉄筋を抱え込み、圧を加えることで前記鉄筋と密着する鉄筋圧着部を有していることを特徴とする接続構造。
【請求項２】
圧着端子により鉄筋と電線とを電気的に接続し、前記鉄筋及び電線の何れか一方に流れる電流を他方に逃すための接続構造であって、
前記圧着端子は、
前記鉄筋を抱え込み、圧を加えることで前記鉄筋と密着する鉄筋圧着部と、
前記電線を抱え込み、圧を加えることで前記電線と密着し、前記鉄筋圧着部と電気的に一体に設けられた電線圧着部と
を有していることを特徴とする接続構造。
【請求項３】
前記電線を他の鉄筋と前記圧着端子により電気的に接続することで、複数の前記鉄筋を連続的に接続した構造を含んでいることを特徴とする請求項１又は２に記載の接続構造。
【請求項４】
前記鉄筋圧着部は、圧を加えることで前記鉄筋を囲繞した状態で前記鉄筋と密着することを特徴とする請求項１〜３の何れか１項に記載の接続構造。
【請求項５】
前記電線圧着部は、圧を加えることで前記電線を囲繞した状態で前記鉄筋と密着することを特徴とする請求項２〜４の何れか１項に記載の接続構造。
【発明の詳細な説明】
【技術分野】
【０００１】
本発明は、鉄筋コンクリート等に用いられる鉄筋をアースするための接続構造に関するものである。
【背景技術】
【０００２】
一般に、鉄筋コンクリート建築物の避雷針設備等は、通常、建物の屋上に設置されている。避雷針設備は、地盤とアースする必要があるため、建物の各階の柱内部に配設されている主筋（鉄筋）を電気的に接続していき、避雷針設備の受雷部と接地極とを接続するようになっている。この各鉄筋を電気的に接続する構造としては、例えば、特許文献１に示す構造等がある。特許文献１の接続構造は、下層階の柱内に配設された柱主筋と導通すると共に地中にアースされ且つ少なくとも一部が、柱上に形成された床の表面に露出した第一の導電性部材と、上層階の柱に配設された柱主筋と導通すると共に避雷針に接続され且つ少なくとも一部が、柱の下端面に露出した第二の導電性部材とを電気的に接続した構造となっている。そして、この特許文献１において、電気的に接続するための導電性部材は、金属板・金属棒等から構成されており、これらは、柱主筋と溶接により接続されるようになっている。ところが、このように溶接により接続すると、溶接時に熱応力が発生してしまい、柱主筋の強度が低下してしまい、建築物の構造強度が低下してしまうおそれがある。
【０００３】
また、溶接を用いずに各鉄筋を電気的に接続するために、特許文献２に記載されているような接続金具がある。特許文献２の接続金具は、略円柱状の鉄筋の外周面に密着するような略円形状の２つの挟持部材で鉄筋を挟み込み、その挟持部材をボルトで締め付ける構造となっている。そして、特許文献２によると、特許文献１のように溶接を用いずに接続することができるため、柱主筋の強度が低下させずに、建築物の建築現場において簡単に接続できるようになる。
【０００４】
【特許文献１】特許第３３１１４５８号公報
【特許文献２】特開平９−７３９２９号公報（図２）
【発明の開示】
【発明が解決しようとする課題】
【０００５】
ところが、一般的に、鉄筋コンクリート構造等に用いられる柱主筋は、強度を高めるために表面にリブや節などの突起が設けられており、柱主筋のサイズ（径）も様々である。このため、特許文献２のような接続金具を用いた場合、柱主筋の突起部分により、２つの挟持部材を完全に密着させることができない場合がある。また、柱主筋の突起部分やサイズは多種多様であるため、各鉄筋に適合した接続金属を製造する必要があり、手間とコストがかかってしまう。
【０００６】
そこで、本発明の目的は、簡単な作業で、かつ、確実に、鉄筋をアースすることができる接続構造を提供することである。
【課題を解決するための手段及び効果】
【０００７】
上記目的を達成するために、第１の発明は、圧着端子により鉄筋と電線とを電気的に接続し、鉄筋及び電線の何れか一方に流れる電流を他方に逃すための接続構造であって、圧着端子は、鉄筋を抱え込み、圧を加えることで鉄筋と密着する鉄筋圧着部を有している。
【０００８】
この構成によると、鉄筋と電線とを電気的に接続する圧着端子が、圧を加えることで鉄筋と密着する鉄筋圧着部を有しており、簡単に鉄筋圧着部を鉄筋に接続できるため、鉄筋と電線との接続が容易になる。また、溶接により鉄筋と電線とを電気的に接続した場合、溶接時に熱応力が発生してしまい、鉄筋の強度が低下してしまい、その結果、その鉄筋を使用している建築物等の構造強度が低下してしまうおそれがあるが、圧着により接続することで、鉄筋の強度を低下させることなく、鉄筋と電線とを電気的に接続することができる。さらに、圧着により接続するため、鉄筋の表面に節などの突起部が設けられていても、確実に鉄筋に密着させることができる。そのため、確実に鉄筋をアースすることができる。
【０００９】
また、第２の発明は、圧着端子により鉄筋と電線とを電気的に接続し、鉄筋及び電線の何れか一方に流れる電流を他方に逃すための接続構造であって、圧着端子は、鉄筋を抱え込み、圧を加えることで鉄筋と密着する鉄筋圧着部と、電線を抱え込み、圧を加えることで電線と密着し、鉄筋圧着部と電気的に一体に設けられた電線圧着部とを有している。
【００１０】
この構成によると、鉄筋と電線とを電気的に接続する圧着端子が、圧を加えることで鉄筋と密着する鉄筋圧着部と、圧を加えることで電線と密着する電線圧着部とを有しており、簡単に鉄筋圧着部を鉄筋に接続でき、電線圧着部を電線に接続できる。これにより、鉄筋と電線との接続が容易になる。また、溶接により鉄筋と電線とを電気的に接続した場合、溶接時に熱応力が発生してしまい、鉄筋の強度が低下してしまい、その結果、その鉄筋を使用している建築物等の構造強度が低下してしまうおそれがあるが、圧着により接続することで、鉄筋の強度を低下させることなく、鉄筋と電線とを電気的に接続することができる。さらに、圧着により接続するため、鉄筋の表面に節などの突起部が設けられていても、確実に鉄筋に密着させることができる。そのため、確実に鉄筋をアースすることができる。
【００１１】
第３の発明は、第１又は第２の発明において、電線を他の鉄筋と圧着端子により電気的に接続することで、複数の鉄筋を連続的に接続した構造を含んでいる。
【００１２】
この構成によると、複数の鉄筋を連続的に接続することにより、例えば、高い所にある鉄筋をアースしたい場合であっても、高い所にある鉄筋に接続する特別な長い電線等を設ける必要がなく、連続的に接続することで、簡単に高い所にある鉄筋をアースすることができる。
【００１３】
また、第４の発明は、第１から第３の何れかの発明の鉄筋圧着端子が、圧を加えることで鉄筋を囲繞した状態で鉄筋と密着するようになっている。この構成によると、鉄筋を囲繞した状態で鉄筋圧着端子が鉄筋に接続されているため、鉄筋圧着端子が鉄筋から外れにくい構造となっている。従って、接続強度を強くすることができる。また、鉄筋に凹凸がある場合であっても、鉄筋圧着端子との接着面積を少しでも大きくすることができる。また、これにより、接続部分の接触抵抗をより小さくでき、通電時の熱の発生等が低減できる。
【００１４】
第５の発明は、第２から第４の何れかの発明の電線圧着部が、圧を加えることで電線を囲繞した状態で鉄筋と密着するようになっている。この構成によると、電線を囲繞した状態で電線圧着部が電線に接続されているため、電線圧着部が電線から外れにくい構造となっている。従って、接続強度を強くすることができる。
【発明を実施するための最良の形態】
【００１５】
以下、本発明の好適な実施の形態について図面を参照しつつ説明する。
【００１６】
本実施の形態に係る接続構造は、例えば、図２に示すように、落雷からの被害を避けるための避雷針設備１０１を有する建物１００に好適に用いられる。避雷針設備１０１は、通常、建物１００の屋上等の上層部に設置される。避雷針設備１０１は、単に屋上部等に設置されても、アースしなければ落雷を捕捉することができず、建物を落雷の被害から守ることができない。このため、建物１００を構築する柱等の内部には、避雷針設備１０１をアースするために、建物１００の屋上部から地面の接地部にわたって通電経路が設けられている。
【００１７】
具体的には、建物１００は、例えば、ＰＣ工法で建築された鉄筋コンクリートのビルであり、多数のＰＣ部材（プレキャストコンクリート部材）で構築されている。なお、工場のラインで製造された鉄筋コンクリート製の部材を、現場で組み立てる工法をＰＣ工法と言い、組み立てる柱・梁・壁・床板・屋根などをＰＣ部材と言う。そして、このＰＣ部材である柱内部に、工場での製造段階において予め鉄筋を埋設しておき、建物１００の建築現場において、上層階の柱と、下層階の柱に埋設された鉄筋を電気的に接続しながら、ＰＣ部材を構築していくことで、建物１００の屋上部に設置されている避雷針設備１０１と地面の接地部とを接続することができる。この接続された鉄筋を、避雷針設備１０１をアースするための通電経路としている。
【００１８】
そして、本実施の形態の接続構造は、上記の鉄筋同士を接続する接続部分に好適に用いられる。以下、上層階の柱５と下層階の柱５とを接続する接続部分及びかかる接続部分に用いられる接続構造について詳述する。
【００１９】
図３に示すように、上層階の柱５と下層階の柱５とは、柱を固定するために柱上に架する水平材である梁６を介して接続されている。梁６は、上面から下面にわたって孔６ａを有しており、後述する柱５に設けられた鉄筋１が貫通可能となっている。また、梁６は、工場での製造時において、予め電線６ｂが孔６ａと平行に設けられている。かかる電線６ｂは、上部及び下部の先端部が、梁６から突出するように設けられおり、後述の柱５の電線３と接続されるようになっている。
【００２０】
一方、柱５は、各階を構築する床等を支える略直方体形状の材であり、柱５には、略円柱状の鉄筋１及びスプライススリーブ等の接続部２が埋設されている。鉄筋１は、柱５の主筋であって、柱５の上端部５ｂから垂直に突出するように、柱５の高さ方向に沿って埋設されている。なお、この鉄筋１は、後述の接続部２の上部から挿通され、鉄筋１の下部が接続部２内部に位置するように埋設されている。接続部２は、柱５の下端部５ａから内部に垂直に突出する略長方形状に形成されている。そして、この接続部２の下部から、下層階の柱５の鉄筋１が挿入できるようになっている。より具体的には、下層階の柱５の鉄筋１は、梁６の下側から孔６ａに挿通され、梁６の上側に突出するようになる。かかる突出部分を、上層階の柱５の接続部２の下部から接続部２内部に挿入できるようになっている。
【００２１】
なお、図３では、柱５に対して鉄筋１は一本のみ埋設されているが、柱５内において等間隔に複数埋設されていてもよく、柱５の強度に応じて鉄筋１の数を変えるようにしてもよい。
【００２２】
接続部２には、上部及び下部に、それぞれ水平な水平孔２ａ・２ｂが設けられており、接続部２内にコンクリートやモルタル等を注入できるようになっており、接続部２に挿入された鉄筋１を固定することができるようになっている。具体的には、接続部２に鉄筋１が挿入された状態で、下部に設けられた水平孔２ｂからモルタル等を注入し続けると、接続部２内にモルタル等が充填し、上部に設けられた水平孔２ａから溢れ出るようになる。これにより、接続部２内を確実に充填させることができる。そして、このようにモルタル等が接続部２内に充填されることにより鉄筋１を接続部２に挿入した状態で固定でき、梁６を介して上層階の柱５及び下層階の柱５を接合できるようになっている。
【００２３】
上記のように、接続部２において固定された上層階の柱５の鉄筋１と、下層階の柱５の鉄筋１とは、電線３・６ｂにより電気的に接続されるようになっている。具体的には、柱５の鉄筋１に取り付けられた圧着端子１０により、鉄筋１と電線３とが電気的に接続され、上層階の柱５及び下層階の柱５の電線３が、上記した梁６に予め埋設された電線６ｂと接続することで、上層階の柱５の鉄筋１と、下層階の柱５の鉄筋１とが電線３・６ｂにより電気的に接続されるようになっている。
【００２４】
ここで、圧着端子１０について説明する。圧着端子１０は、銅や銅合金などの金属板からなり、鉄筋１及び電線３と圧着により接続することにより、鉄筋１と電線３とを電気的に接続できるようになっている。圧着端子１０は、図１（ａ）に示すように、鉄筋１と電線３とを略平行となるように挟持できるように、鉄筋１と圧着する鉄筋圧着部１１と、電線３と圧着する電線圧着部１２とが一体に形成されている。なお、図１（ａ）に示す鉄筋１に描かれている斜線は、鉄筋１とコンクリートとの付着性能を高めるために、外周面に設けられた節１ａである。なお、節１ａは、図中ではらせん状としているが、網目状等様々な形状がある。
【００２５】
鉄筋圧着部１１は、先端部１１ａ・１１ｂを有し、先端部１１ａ・１１ｂ間が開口した略Ｕ字形状となっている。そして、Ｕ字形状の溝に鉄筋１が嵌合するように先端部１１ａ・１１ｂ間から鉄筋１を挿入することで、図１（ｂ）に示すように、鉄筋１を挟持できるようになっている。また、電線圧着部１２も同様に、先端部１２ａ・１２ｂを有し、先端部１２ａ・１２ｂ間が開口した略Ｕ字形状となっている。そして、Ｕ字形状の溝に電線３が嵌合するように先端部１２ａ・１２ｂ間から電線３を挿入することで、図１（ｂ）に示すように、電線３を挟持できるようになっている。そして、圧着端子１０は、上記した圧着部１１・１２が、先端部１１ａ・１１ｂと、先端部１２ａ・１２ｂとが互いに反対側に位置するように一体となって、略∞形状に形成されている。なお、圧着部１１・１２は、鉄筋１や電線３を確実に挟持できるように、それぞれの幅に応じた大きさを有している。
【００２６】
上記したように鉄筋１及び電線３を挟持した圧着端子１０に対して図示しない工具により大きな圧縮荷重を加え、図１（ｃ）に示すように、先端部１１ａ・１１ｂ、先端部１２ａ・１２ｂが夫々密着するまで、圧着部１１・１２を塑性変形させることにより、圧着部１１と鉄筋１とが密着し、また、圧着部１２と電線３とが密着するようになっている。なお、電線３は、具体的には、電線３の絶縁被覆が予め除去された状態で圧着されている。このように、圧着端子１０を、鉄筋１及び電線３を囲繞した状態で密着するようにすることで、圧着端子１０と、鉄筋１及び電線３とが互いに外れ難くすることができ、接続強度を強くすることができる。また、鉄筋に凹凸がある場合であっても、圧着端子との接着面積を少しでも大きくすることができる。また、これにより、接続部分の接触抵抗をより小さくでき、通電時、具体的には落雷時の熱の発生等が低減できる。
【００２７】
このように、圧着端子１０を圧着により鉄筋１と接続するようになっているため、簡単に鉄筋１と電線３とを電気的に接続きるようになっている。例えば、溶接する場合との対比において、簡単に圧着端子１０を設けることができるため、かかる圧着端子１０は、工場での製造工程において鉄筋１に設けるようにしなくても、建築現場において作業員が簡単に圧着端子１０を取り付けられ、かかる圧着端子１０により鉄筋１と電線３とを電気的に接続することができるようになる。また、圧着端子１０による接続は、工具により大きな圧縮荷重を加えるだけであるため、作業スペースが小さい場合であっても容易に接続作業を行えるため、柱５と梁６との間に作業用の空間を設ける必要がなく、例えば、柱５と梁６との間の空間等を小さくしたりすることができるなど、構造の自由度を広げることができる。
【００２８】
また、溶接により鉄筋１と電線３とを接続する場合は、溶接時に熱応力が発生してしまい、鉄筋１の強度が低下してしまい、建物１００の構造強度が低下してしまうが、圧着により接続することで、鉄筋１の強度を低下させることなく、鉄筋１と電線３とを電気的に接続することができる。さらに、上記したように鉄筋１には節１ａが設けられているため鉄筋１の表面は凹凸を有しているが、圧着部１１・１２を塑性変形させるため、かかる凹凸に関係なく圧着端子１０を確実に鉄筋１に密着させることができる。その結果、確実に鉄筋１をアースすることができる。なお、圧着部１１・１２を塑性変形させるため、圧着部１１・１２を一般的な大きさの鉄筋１のサイズ（径）よりも大きめに製造しておけば、様々な鉄筋１に用いることができるようになる。
【００２９】
なお、圧着端子１０と電線３とは圧着による接続でなく、その他の接続方法、例えば、圧接により接続するようにしてもよい。圧接にする場合、電線３の絶縁被覆を予め除去する必要がないため、接続作業を容易にすることができる。また、圧着端子１０の形状は、上記した形状でなくてもよい。例えば、圧着端子１０の圧着部１１・１２は、概略Ｕ字溝形状に形成しているが、角溝形状などとすることも可能である。また、電線３の対応する部分に合わせて、例えば、電線３の外皮部分の溝は広く、導体部分のそれは狭くというように、溝幅を適宜調整することも可能である。
【００３０】
上記したように、圧着端子１０により鉄筋１に電気的に接続された電線３は、梁６に予め設けられている電線６ｂと別の圧着端子１５により接続されている。これにより、上層階の柱５と下層階の柱５との鉄筋１は、電線３及び電線６ｂにより、電気的に接続された状態にすることができる。そして、建物１００の屋上部から地面の設置部まで上記構造を繰返すことで、電線３・６ｂにより電気的に接続された鉄筋１を通電経路として、避雷針設備１０１をアースすることができるようになっている。
【００３１】
なお、電線３と電線６ｂとの接続は、圧着によるものでなくても、圧接やその他の方法により接続してもよい。また、梁６に電線６ｂの代わりに鉄筋を埋設しておき、かかる鉄筋と柱５の電線３とを上記した圧着端子１０により、電気的に接続するようにしてもよい。また、上層階の柱５の電線３と、下層階の柱５の電線３とを直接接続するようにしてもよい。
【００３２】
上記したように、各階において、上層階の柱５の鉄筋１と下層階の柱５の鉄筋１とを電線３・６ｂにより電気的に接続していくことで、建物１００の屋上部に設置されている避雷針設備１０１の通電経路が設けることができ、避雷針設備１０１を確実にアースすることができる。
【００３３】
なお、本実施の形態では、圧着端子１０による接続構造を、避雷針設備１０１を備える建物１００に用いる場合について説明しているが、他の建物等に本発明の接続構造を用いるようにしてもよい。例えば、病院には様々な医療器具が設置されているが、これら医療器具をアースするために、かかる接続構造を病院の建物に用いるようにしてもよいし、その他、アースする必要がある建物であれば好適に用いることができる。また、圧着端子１０の材質等は、特に限定するものでなく、鉄筋１と電線３とが電気的に接続可能なものであればよいし、より確実に接続させたり、接続部分の接触抵抗をより小さくするために、鉄筋１や電線３に適宜前処理を施してから圧着端子１０により接続するようにしてもよい。
【００３４】
以上説明したように、本実施の形態は、圧着端子１０により鉄筋１と電線３とを電気的に接続し、鉄筋１及び電線３の何れか一方に流れる電流を他方に逃すための接続構造であって、圧着端子１０は、鉄筋１を抱え込み、圧を加えることで鉄筋１と密着する鉄筋圧着部１１を有している。
【００３５】
この構成によると、鉄筋１と電線３とを電気的に接続する圧着端子１０が、圧を加えることで鉄筋１と密着する鉄筋圧着部１１を有しており、簡単に鉄筋圧着部１１を鉄筋１に接続できるため、鉄筋１と電線３との接続が容易になる。また、溶接により鉄筋１と電線３とを電気的に接続した場合、溶接時に熱応力が発生してしまい、鉄筋１の強度が低下してしまい、その結果、その鉄筋１を使用している建物１００の構造強度が低下してしまうおそれがあるが、圧着により接続することで、鉄筋１の強度を低下させることなく、鉄筋１と電線３とを電気的に接続することができる。さらに、圧着により接続するため、鉄筋１の表面に節１ａなどの突起部が設けられていても、確実に鉄筋１に密着させることができる。そのため、確実に鉄筋１をアースすることができる。
【００３６】
また、本実施の形態において、圧着端子１０により鉄筋１と電線３とを電気的に接続し、鉄筋１及び電線３の何れか一方に流れる電流を他方に逃すための接続構造であって、圧着端子１０は、鉄筋１を抱え込み、圧を加えることで鉄筋１と密着する鉄筋圧着部１１と、電線３を抱え込み、圧を加えることで電線３と密着し、鉄筋圧着部１１と電気的に一体に設けられた電線圧着部１２とを有している。
【００３７】
この構成によると、鉄筋と電線とを電気的に接続する圧着端子が、圧を加えることで鉄筋１と密着する鉄筋圧着部１１と、圧を加えることで電線３と密着する電線圧着部１２とを有しており、簡単に鉄筋圧着部１１を鉄筋１に接続でき、電線圧着部１２を電線３に接続できる。これにより、鉄筋１と電線３との接続が容易になる。また、溶接により鉄筋１と電線３とを電気的に接続した場合、溶接時に熱応力が発生してしまい、鉄筋１の強度が低下してしまい、その結果、その鉄筋１を使用している建築物等の構造強度が低下してしまうおそれがあるが、圧着により接続することで、鉄筋１の強度を低下させることなく、鉄筋１と電線３とを電気的に接続することができる。さらに、圧着により接続するため、鉄筋１の表面に節などの節１ａが設けられていても、確実に鉄筋１に密着させることができる。そのため、確実に鉄筋１をアースすることができる。
【００３８】
さらに、本実施の形態において、電線３を他の鉄筋１に圧着端子１０により電気的に接続することで、複数の鉄筋１を連続的に接続した構造を含んでいる。この構成によると、複数の鉄筋１を連続的に接続することにより、例えば、高い所にある避雷針設備１０１をアースしたい場合であっても、高い所にある避雷針設備１０１に接続する特別な長い電線３等を設ける必要がなく、連続的に接続することで、簡単に高い所にある避雷針設備１０１をアースすることができる。
【００３９】
また、本実施の形態の鉄筋圧着端子１１は、圧を加えることで鉄筋１を囲繞した状態で鉄筋１に密着するようになっている。この構成によると、鉄筋１を囲繞した状態で鉄筋圧着端子１１が鉄筋１に接続されているため、鉄筋圧着端子１１が鉄筋１から外れにくい構造となっている。従って、接続強度を強くすることができる。また、鉄筋に凹凸がある場合であっても、鉄筋圧着端子１１との接着面積を少しでも大きくすることができる。また、これにより、接続部分の接触抵抗をより小さくでき、落雷時の熱の発生等が低減できる。
【００４０】
さらに、本実施の形態の電線圧着部１２が、圧を加えることで電線３を囲繞した状態で鉄筋１と密着するようになっている。この構成によると、電線３を囲繞した状態で電線圧着部１２が電線３に接続されているため、電線圧着部１２が電線３から外れにくい構造となっている。従って、接続強度を強くすることができる。
【００４１】
本実施の形態の圧着端子１０の変形例として、図４（ａ）・（ｂ）に示すような圧着端子１６であってもよい。圧着端子１６は、鉄筋圧着部１４と電線圧着部１５とを別々に形成し、電線１３により電気的に接続した構成である。また、鉄筋圧着部１４の先端部１４ａ・１４ｂ、電線圧着部１５の先端部１５ａ・１５ｂが、密着しない状態で鉄筋1及び電線３に圧着するようになっている。鉄筋圧着部１４と電線圧着部１５とを電線１３により接続することで、鉄筋１と電線３とを隔離して接続することができるため、構造上互いに近傍に接続できない場合であっても、簡単に鉄筋１と電線３とを接続することができる。また、鉄筋圧着部１４及び電線圧着部１５の先端部が密着しない状態で鉄筋1及び電線３に圧着させることで、鉄筋1や電線３の径（太さ）に関係なく鉄筋1及び電線３を接続させることができる。
【００４２】
また、鉄筋圧着部と電線圧着部とが一体で、先端部が密着しない状態で鉄筋１及び電線３に圧着する圧着端子、即ち図１（ｃ）において、先端部１１ａ・１１ｂ及び先端部１２ａ・１２ｂが密着しない圧着端子であってもよい。さらに、鉄筋圧着部と電線圧着部とが電線により接続され、先端部が密着した状態で鉄筋１及び電線３に圧着する圧着端子、即ち図４（ｂ）において、先端部１４ａ・１４ｂ及び先端部１５ａ・１５ｂが密着する圧着端子であってもよく、これらの組み合わせは適宜変更することが可能である。
【００４３】
本発明は、上記の好ましい実施形態に記載されているが、本発明はそれだけに制限されない。本発明の趣旨と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００４４】
【図１】（ａ）鉄筋と電線とを挟持した圧着端子の側面図。（ｂ）鉄筋と電線とを挟持した圧着端子の上面図。（ｃ）圧着により鉄筋と電線とを圧着端子に密着させた状態の上面図。
【図２】本発明の接続構造を有する建物の概略図。
【図３】図２に描かれた実線円の部分を拡大した図。
【図４】圧着端子の別の変形例を示す図。
【符号の説明】
【００４５】
１  鉄筋
２  接続部
３  電線
５  柱
６  梁
６ａ  孔
６ｂ  電線
１０  圧着端子
１１  鉄筋圧着部
１１ａ・１１ｂ  先端部
１２  電線圧着部
１２ａ・１２ｂ  先端部
【図１】
2006344402.tif 000003
【図２】
2006344402.tif 000004
【図３】
2006344402.tif 000005
【図４】
2006344402.tif 000006